(57)【要約】【課題】  マルチパス印字を行うインクジェット画像装置において、パス数に依らず、所望の乾燥量を得ることを目的とする。【解決手段】  複数のマルチパス印字モードを有し、切換可能な画像形成手段と、発熱源を有し前記画像形成手段により画像形成処理された記録メディアを加熱乾燥する乾燥手段を有し、記録メディア搬送路中に連続に配するインクジェット画像形成装置において、選択された印字モードのパス数に応じて発熱源の発生熱量を制御することを特徴とする。【選択図】  図１
2005161814.tif 000002
【特許請求の範囲】
【請求項１】
記録メディアへインク滴を射出するインクジェット記録ヘッドを有し、複数のマルチパス印字モードを有し、切換可能な画像形成手段と、発熱源を有し前記画像形成手段により画像形成処理された記録メディアを加熱乾燥する乾燥手段を有し、記録メディア搬送路中に連続に配するインクジェット画像形成装置において、前記乾燥手段は発生熱量可変であり、選択された印字モードのパス数に応じて発熱源の発生熱量を制御することを特徴とするインクジェット画像形成装置。
【請求項２】
記録メディアへインク滴を射出するインクジェット記録ヘッドを有し、複数のマルチパス印字モードを有し、切換可能な画像形成手段と、発熱源を有し前記画像形成手段により画像形成処理された記録メディアを加熱乾燥する乾燥手段を有し、記録メディア搬送路中に連続に配するインクジェット画像形成装置において、選択された印字モードのパス数に発熱源の発生熱量を実効的に反比例して制御することを特徴とする請求項１のインクジェット画像形成装置。
【請求項３】
記録メディアへインク滴を射出するインクジェット記録ヘッドを有し、複数のマルチパス印字モードを有し、切換可能な画像形成手段と、送風手段を有し前記画像形成手段により画像形成処理された記録メディアを乾燥する乾燥手段を有し、記録メディア搬送路中に連続に配するインクジェット画像形成装置において、選択された印字モードのパス数に応じて送風手段の送風量を制御することを特徴とするインクジェット画像形成装置。
【請求項４】
記録メディアへインク滴を射出するインクジェット記録ヘッドを有し、複数のマルチパス印字モードを有し、切換可能な画像形成手段と、送風手段を有し前記画像形成手段により画像形成処理された記録メディアを乾燥する乾燥手段を有し、記録メディア搬送路中に連続に配するインクジェット画像形成装置において、選択された印字モードのパス数に送風手段の送風量を実効的に反比例して制御することを特徴とする請求項３のインクジェット画像形成装置。
【請求項５】
記録メディアへインク滴を射出するインクジェット記録ヘッドを有し、複数のマルチパス印字モードを有し、切換可能な画像形成手段と、送風手段と、強制排気手段を含み、前記画像形成手段により画像形成処理された記録メディアを乾燥する乾燥手段を有し、記録メディア搬送路中に連続に配するインクジェット画像形成装置において、選択された印字モードのパス数に応じて吸気量と排気量を連動して制御することを特徴とする請求項３のインクジェット画像形成装置。
【請求項６】
記録メディアへインク滴を射出するインクジェット記録ヘッドを有し、複数のマルチパス印字モードを有し、切換可能な画像形成手段と、発熱源と送風手段とからなる熱風発生手段による熱風にて前記画像形成手段により画像形成処理された記録メディアの加熱乾燥を行う乾燥手段を有し、記録メディア搬送路中に連続に配するインクジェット画像形成装置において、選択された印字モードのパス数に応じて送風量と発熱量を連動して制御することを特徴とする請求項１、または３、または５のインクジェット画像形成装置。
【発明の詳細な説明】
【技術分野】
【０００１】
本発明はインクジェット画像形成装置、特に画像形成直後の記録メディアを加熱することで乾燥を促進する乾燥手段を設けたインクジェット画像形成装置に関する。
【背景技術】
【０００２】
従来より記録メディアの加熱乾燥を行うインクジェットプリンタが各種提案されている。例えば特許文献1においては強制乾燥手段の動作／停止を画像の黒率で切換え、また特許文献2においては記録データよりドット密度計算手段し、表面温度と搬送速度を制御することが示されている。
【特許文献１】特開平7-178895号公報
【特許文献２】特開平9-201954号公報
【発明の開示】
【発明が解決しようとする課題】
【０００３】
しかしながら、上記特許文献1、２等においては、画像形成時のインク吐出密度に応じて、加熱オンオフあるいは温度制御を行うよう構成されるが、そもそも画像はその画面内の場所によってインク量が異なることによって形成されるが故に、本質的に画像内は場所による黒率あるいはドット密度等で表されるインク吐出密度は異なり、当然、同じバンドにおいても密度差が通常存在する。
更に特許文献2の実施例のハロゲンランプにより搬送ローラ加熱の場合、搬送ローラの熱容量ゆえに1主走査時間に対して反応が遅く、現実に主走査毎のインク量に応じて制御することは難しい。
【０００４】
一方、インクジェットプリンタでは、マルチパス印字がよく用いられるが、このパス数が異なると同じ画像、同じドット密度であっても、印字部通過所要時間延いては乾燥処理時間が変わってしまい、乾燥量が変化してしまう。
【０００５】
本出願に係る第１、第２、第３、第４、第5、第6の発明は、マルチパス印字を行うインクジェット画像装置において、パス数に依らず、所望の乾燥量を得ることを目的とする。
【課題を解決するための手段】
【０００６】
上記目的を達成するため、本発明に係る第１の発明は、複数のマルチパス印字モードを有し、切換可能な画像形成手段と、発熱源を有し前記画像形成手段により画像形成処理された記録メディアを加熱乾燥する乾燥手段を有し、記録メディア搬送路中に連続に配するインクジェット画像形成装置において、選択された印字モードのパス数に応じて発熱源の発生熱量を制御することを特徴とする。
【０００７】
更に本発明に係る第２の発明は、複数のマルチパス印字モードを有し、切換可能な画像形成手段と、発熱源を有し前記画像形成手段により画像形成処理された記録メディアを加熱乾燥する乾燥手段を有し、記録メディア搬送路中に連続に配するインクジェット画像形成装置において、選択された印字モードのパス数に発熱源の発生熱量を実効的に反比例して制御することを特徴とする。
【０００８】
本発明に係る第３の発明は、複数のマルチパス印字モードを有し、切換可能な画像形成手段と、送風手段を有し前記画像形成手段により画像形成処理された記録メディアの乾燥を促進する乾燥手段を有し、記録メディア搬送路中に連続に配するインクジェット画像形成装置において、選択された印字モードのパス数に応じて送風手段の送風量を制御することを特徴とする。
【０００９】
本発明に係る第４の発明は、複数のマルチパス印字モードを有し、切換可能な画像形成手段と、送風手段を有し前記画像形成手段により画像形成処理された記録メディアの乾燥を促進する乾燥手段を有し、記録メディア搬送路中に連続に配するインクジェット画像形成装置において、選択された印字モードのパス数に送風手段の送風量を実効的に反比例して制御することを特徴とする。
【００１０】
本発明に係る第５の発明は、複数のマルチパス印字モードを有し、切換可能な画像形成手段と、送風手段と、強制排気手段を含む、前記画像形成手段により画像形成処理された記録メディアを乾燥を促進する乾燥手段を有し、記録メディア搬送路中に連続に配するインクジェット画像形成装置において、選択された印字モードのパス数に応じて吸気風量と排気風量を連動して制御することを特徴とする。
【００１１】
本発明に係る第６の発明は、複数のマルチパス印字モードを有し、切換可能な画像形成手段と、発熱源と送風手段とからなる熱風発生手段を含む、前記画像形成手段により画像形成処理された記録メディアを熱風により加熱乾燥する乾燥手段を有し、記録メディア搬送路中に連続に配するインクジェット画像形成装置において、選択された印字モードのパス数に応じて熱量と送風量を連動して制御することを特徴とする。
【発明の効果】
【００１２】
以上説明したように、本出願に係る第１の発明よれば、記録メディアへインク滴を射出するインクジェット記録ヘッドを有する画像形成手段とその画像形成手段により画像形成処理された記録メディアを加熱乾燥する乾燥手段を有し、記録メディア搬送路中に連続に配するインクジェット画像形成装置において、インクジェット画像形成手段にて実行されるマルチパス印字のパス数に応じて乾燥手段の熱量を制御することで、パス数の違いによる印字処理時間の変化、即ち、画像形成手段と記録メディア搬送路中に連続に配された乾燥手段においては乾燥処理時間の変化に依らず、常に一定の乾燥量を得ることを可能にする。これにより、記録メディアの乾燥不足のみならず、過熱、過乾燥を防止することが出来る。
【００１３】
また本出願に係る第２の発明よれば、更に乾燥手段の発熱量をインクジェット画像形成手段のマルチパス印字のパス数に実効的に反比例させることで、パス数の変化に応じて、概ねそれに比例して変化する印字処理速度と、それに等しい画像形成手段と記録メディア搬送路中に連続に配された乾燥手段を印字処理後の記録メディアが通過する速度、即ち乾燥処理速度に依らず、常に一定の乾燥量を得ることを可能にする。
【００１４】
本出願に係る第３の発明よれば、記録メディアへインク滴を射出するインクジェット記録ヘッドを有する画像形成手段とその画像形成手段により画像形成処理された記録メディアの乾燥を送風により促進する乾燥手段を有し、記録メディア搬送路中に連続に配するインクジェット画像形成装置において、インクジェット画像形成手段にて実行されるマルチパス印字のパス数に応じて乾燥手段の送風量を制御することで、パス数の違いによる印字処理時間の変化、即ち、画像形成手段と記録メディア搬送路中に連続に配された乾燥手段においては乾燥処理時間の変化に依らず、常に一定の乾燥量を得ることを可能にする。
【００１５】
本出願に係る第４の発明よれば、更に乾燥手段の送風量をインクジェット画像形成手段のマルチパス印字のパス数に実効的に反比例させることで、パス数の変化に応じて、概ねそれに比例して変化する印字処理速度と、それに等しい画像形成手段と記録メディア搬送路中に連続に配された乾燥手段を印字処理後の記録メディアが通過する速度、即ち乾燥処理速度に依らず、常に一定の乾燥量を得ることを可能にする。
【００１６】
本出願に係る第５の発明よれば、記録メディアへインク滴を射出するインクジェット記録ヘッドを有する画像形成手段と、送風手段と強制排気手段を含み、前記画像形成手段により画像形成処理された記録メディアの乾燥を促進する乾燥手段を有し、記録メディア搬送路中に連続に配するインクジェット画像形成装置において、インクジェット画像形成手段にて実行されるマルチパス印字のパス数に応じて乾燥手段の送風量と排気風量を連動して制御することで、パス数の違いによる印字処理時間の変化、即ち、画像形成手段と記録メディア搬送路中に連続に配された乾燥手段においては乾燥処理時間の変化に依らず、常に一定の乾燥量を得ることを可能にする。特に送風量と排気量を同時に制御することで、常に送風と排気のバランスを保つことが可能であり、乾燥時のインク媒体蒸気を含んだ排気を他に漏らすことが無いように出来る。
【００１７】
本出願に係る第６の発明よれば、記録メディアへインク滴を射出するインクジェット記録ヘッドを有する画像形成手段と、発熱手段と送風手段を含む、前記画像形成手段により画像形成処理された記録メディアを加熱乾燥する乾燥手段を有し、記録メディア搬送路中に連続に配するインクジェット画像形成装置において、インクジェット画像形成手段にて実行されるマルチパス印字のパス数に応じて乾燥手段の熱量と風量を制御することで、パス数の違いによる印字処理時間の変化、即ち、画像形成手段と記録メディア搬送路中に連続に配された乾燥手段においては乾燥処理時間の変化に依らず、常に一定の乾燥量を得ることを可能にする。これにより、記録メディアの乾燥不足のみならず、過熱、過乾燥を防止することが出来る。特に熱量のみの場合と異なり送風量を同時に制御することで、記録メディアに与える熱風温度そのものが大きく変動しないため、過熱による記録メディアへのダメージを依り確実に防ぐことが出来る。
【発明を実施するための最良の形態】
【００１８】
（第１の実施形態）
図１は本発明第1の実施形態のインクジェットプリンタの通紙方向機器断面を示す概略図である。図１において、１は本発明実施のインクジェットプリンタの記録メディア供給のための給紙部、２は記録ヘッド下を記録ヘッド動作に同期して記録メディアを通紙するためのラインフィードローラ、３はラインフィードローラ２に挟持され、給紙される記録メディアであって、後述の記録ヘッド４よりインク液を射出され、その表面に画像形成され、その後加熱乾燥、排紙される。４はインクジェット方式の記録ヘッドであって、記録メディア上を記録メディア搬送方向と直交する方向にスキャンしながら、インク液を記録メディア上に射出、画像形成を行う。５は記録ヘッド４に対向して供給された記録メディアを画像形成時、保持するプラテン、６は記録ヘッド４下を通過した記録メディアを搬送する拍車ローラであってほぼラインフィードローラと連動して駆動される。２４はこれら記録ヘッド４他から構成される画像形成部、２５は画像形成部２４の記録メディア排出口、２７は画像形成部２４排出口２５に設けられた画像形成部排紙センサ、７は通過する記録メディアの加熱乾燥を行う加熱乾燥部、８は加熱乾燥部へ温風を供給するための吸気ファン、９は出力が2段階に切り換え可能なヒータであって吸気ファン8によって加熱乾燥部７に供給する空気を加熱、、温風とする。１０は排気ダクトであって、加熱乾燥部７より加熱乾燥によって蒸発したインク液の媒体成分の蒸気を含んだ排気を後述の排気ファンに導く。１１は吸気ファン８より風量が大きな排気ファンであって、排気ダクトによって加熱乾燥部より導かれる排気を強制排気する。１２は画像形成部２４、加熱乾燥部７を通過した画像形成、加熱乾燥後の記録メディア３を排紙するための排紙ローラであって拍車ローラ６と実効的に等速にて記録メディアを排紙する。２８は排紙ローラ１２に達した記録メディアを検出、あるいは通過したことを検出する排紙センサ、１３は排紙された記録メディアを保持する排紙トレーを示している。
【００１９】
図２は本発明第1の実施形態のインクジェットプリンタを示す制御回路を示すブロック図である。図２において、２−１１および２８は各々図1のそれらを示しており、１４は不図示の外部ホストマシンからの画像データに基づき、インク射出データを生成、記録ヘッド４に与える画像処理回路、１５は処理する画像データを記憶する画像メモリ、１６はインクジェットプリンタ全体を制御するCPU、１７は後述のキャリッジモータを駆動するためのきモータドライバ、１８はモータ記録ヘッド４を記録メディア搬送方向と直交する方向に主走査駆動するキャリッジモータ、１９は後述のラインフィードモータを駆動するためのモータドライバ、２０は記録メディア３を記録ヘッド４下にて搬送、副走査駆動をラインフィードローラを介して行うラインフィードモータ、この他、給紙部の駆動、記録ヘッドのインク射出状態を良好に保持するための、記録ヘッド表面の清掃、記録ヘッド外部より記録ヘッド上の射出孔に負圧を与え、インクを射出孔より吸引、あるいは記録ヘッド射出孔部へのキャッピングを行う等々、インクジェットプリンタが動作するために他の機構を駆動する他のモータ及びそれらの駆動のためのドライバが単数あるいは複数設けられている。これらについては本発明に係る動作には直接関係しない故、詳細な説明、詳細な図示は割愛する。
【００２０】
２１は排気ファン１１の駆動回路であって、排気ファン１１の風量を制御駆動する。２２は吸気ファン８の駆動回路であって吸気ファン８の風量を制御駆動する。２３はヒータ９の駆動回路であって、電気的に2つに分割されたヒータ９の両方を同時にオンする状態と、片側のみオンする状態の２つのオン状態と両方をオフするオフ状態を得る。
【００２１】
上記構成にて、図3に示すフローチャートの如く画像形成動作を行う。
【００２２】
ステップ１：給紙部１より記録メディア３をラインフィードローラ部へ1枚搬送する。
【００２３】
ステップ２：モータドライバ１９にてラインフィードモータ２０を駆動、ラインフィードローラにて記録メディア３を搬送、画像形成処理部のプラテン５上に記録メディア３先端を送る。
【００２４】
ステップ３：マルチパス印字設定のパス数を確認し、パス数の設定により以降の排気ファン、吸気ファン、ヒータの設定を行う。
【００２５】
ステップ４：本実施形態においては2パス印字の場合、強制排気ファン１１を駆動回路２１を介して駆動開始する。このとき駆動回路21の設定により風量は最大とする。これにより加熱乾燥部７より空気が強制的に強排気される。
【００２６】
ステップ５：吸気ファン８を駆動回路２２により駆動開始する。このとき駆動回路2２の設定により風量は最大とする。これにより加熱乾燥部７へヒータ９を介して強送風する。
【００２７】
ステップ６：2分割されたヒータ９の両方への通電を開始し、加熱、温風を加熱乾燥部７へ供給する。
【００２８】
ステップ７：本実施形態においては４パス印字の場合、強制排気ファン１１を駆動回路２１を介して駆動開始する。このとき駆動回路21の設定により風量は最大のおおよそ１／２とする。これにより加熱乾燥部７より空気が強制的に弱排気される。
【００２９】
ステップ８：吸気ファン８を駆動回路２２により駆動開始する。このとき駆動回路2２の設定により風量は最大のおおよそ１／２とする。これにより加熱乾燥部７へヒータ９を介して弱送風する。
【００３０】
ステップ９：2分割されたヒータ９の片方だけへの通電を開始する。これにより両方通電時の約１／２の発熱を得る。これにより加熱、温風を加熱乾燥部７へ供給する。
【００３１】
ステップ１０：モータドライバ１７にてキャリッジモータ１８を駆動、記録ヘッド４をプラテン５に保持される記録メディア３上を、記録メディア搬送方向と直行する方向に主走査させるとともに、画像処理回路１４は記録ヘッド４に逐次主走査、副走査位置に応じたインク射出データを送出、記録ヘッド４より主走査に応じてインクを射出、画像を形成する。
【００３２】
ステップ１１：マルチパス印字の指定されたパス数で副走査方向の印字ヘッド幅分、１主走査画像形成毎に、モータドライバ１９にてラインフィードモータ２０を駆動、ラインフィードローラにて記録メディア３を副走査する。
【００３３】
ステップ１２：主走査とラインフィードローラ２にて記録メディア３の副走査搬送を繰り返し、そのページのインク射出データが終了後、主走査は終了させる。
【００３４】
ステップ１３：次ページ画像データがあれば、次ページ用記録メディアを給紙部１より1枚給紙する。
【００３５】
ステップ１４：記録メディア後端が排紙ローラ１２によって排紙トレーに排紙されるまで、副走査は画像形成時と同様に繰り返し継続する。
【００３６】
ステップ１５：主走査相当時間待ち、副走査を実行する。
【００３７】
ステップ１６：次ページ処理が無く、排紙が完了するとヒータ９への通電停止する。
【００３８】
ステップ１７：ラインフィードローラ２、拍車ローラ６、排紙ローラ１２の駆動を停止する。
【００３９】
ステップ１８：所定時間経過を待つ。
【００４０】
ステップ１９：吸気ファン８を停止する。
【００４１】
ステップ２０：排気ファン１１を停止する。
【００４２】
以上のような構成、動作により、加熱乾燥部７を通過するインクジェット画像形成直後の記録メディア３に対して、マルチパス印字のパス数に反比例した吸気ファン８による送風量とヒータ９による発熱量を得た乾燥のための温風を与え、また同時に排気ファン１１により乾燥に使用されたインク媒体蒸気を含む温風をマルチパス印字のパス数に応じた排気風量にて排気させる。
【００４３】
（第２の実施形態）
図４は本発明第２の実施形態のインクジェットプリンタの通紙方向機器断面を示す概略図である。図４において、3１は本発明実施のインクジェットプリンタの記録メディア供給のための給紙部、3２は、3２は記録ヘッド下を記録ヘッド動作に同期して記録メディアを通紙するためのラインフィードローラ、５６はラインフィードローラ３２への給紙を検出する給紙センサ、３３はラインフィードローラ3２に挟持され、給紙される記録メディアであって、後述の記録ヘッド3４よりインク液を射出され、その表面に画像形成され、その後加熱乾燥、排紙される。3４はインクジェット方式の記録ヘッドであって、プラテン35に保持された記録メディア上を記録メディア搬送方向と直交する方向にスキャンしながら、インク液を記録メディア上に射出、画像形成を行う。3５は記録ヘッド3４に対向して供給された記録メディアを画像形成時、保持するプラテン、3６は記録ヘッド3４下を通過した記録メディアを搬送する拍車ローラであってほぼラインフィードローラ32と連動して駆動される。５４はこれら記録ヘッド３４他から構成される画像形成部、５５は画像形成部５４の記録メディア排出口、５７は画像形成部記録メディア排出口５５に設けられた画像形成部排紙センサ、３７は通過する記録メディアの加熱乾燥を行う加熱乾燥部、３９は輻射熱源であるところのハロゲンヒータであって、加熱乾燥部を通過する際の記録メディアに対して赤外光を輻射、記録メディアを加熱する。４０は加熱乾燥部と画像形成部５４の中間に設けられた排気ダクトであって、加熱乾燥部３７より加熱乾燥によって蒸発したインク液の媒体成分の蒸気を含んだ排気を後述の排気ファン４１に導く。４１は排気ファンであって、排気ダクトによって加熱乾燥部より強制排気する。４２は画像形成部５４、加熱乾燥部３７を通過した画像形成、加熱乾燥後の記録メディア３３を排紙するための排紙ローラであって拍車ローラ３６と実効的に等速にて記録メディアを排紙する。５８は排紙ローラ３７に達した記録メディアを検出、あるいは通過したことを検出する排紙センサ、４３は排紙された記録メディアを保持する排紙トレーを示している。５９は加熱乾燥部の雰囲気温度を検出するサーミスタを示す。
【００４４】
図５は本発明第２の実施形態のインクジェットプリンタを示す制御回路を示すブロック図である。図５において、３２−４１、５６−５９は各々図４のそれらを示しており、４４は不図示の外部ホストマシンからの画像データに基づき、インク射出データを生成、記録ヘッド３４に与える画像処理回路、４５は処理する画像データを記憶する画像メモリ、４６はインクジェットプリンタ全体を制御するCPU、４７は後述のキャリッジモータを駆動するためのきモータドライバ、４８はモータ記録ヘッド３４を記録メディア搬送方向と直交する方向に主走査駆動するキャリッジモータ、４９は後述のラインフィードモータを駆動するためのモータドライバ、５０は記録メディア３３を記録ヘッド３４下にて搬送、副走査駆動をラインフィードローラを介して行うラインフィードモータ、この他、給紙部の駆動、記録ヘッドのインク射出状態を良好に保持するための、記録ヘッド表面の清掃、記録ヘッド外部より記録ヘッド上の射出孔に負圧を与え、インクを射出孔より吸引、あるいは記録ヘッド射出孔部へのキャッピングを行う等々、インクジェットプリンタが動作するために他の機構を駆動する他のモータ及びそれらの駆動のためのドライバが単数あるいは複数設けられている。これらについては本発明に係る動作には直接関係しない故、詳細な説明、詳細な図示は割愛する。
【００４５】
５１は排気ファン４１の駆動回路、５３はハロゲンヒータ３９の駆動回路を、６０はサーミスタ５９のアナログ温度情報をデジタル化しCPUに与えるADコンバータを示す。６１はパルス発生器であって、CPU４６により設定された値に従い、ハロゲンヒータ制御回路５３に与えるパルスのデューティを制御し、ハロゲンヒータ制御回路５３がハロゲンヒータ３９に与える電力を制御する。
【００４６】
上記構成にて、図６に示すフローチャートの如く画像形成動作を行う。
【００４７】
ステップ２１：給紙部３１より記録メディア３３をラインフィードローラ部へ1枚搬送する。
【００４８】
ステップ２２：強制排気ファン４１を駆動回路５１を介して駆動開始する。これにより加熱乾燥部３７より空気が強制的に排気される。
【００４９】
ステップ２３：モータドライバ４９にてラインフィードモータ４０を駆動、ラインフィードローラ３２にて記録メディア３３を搬送、画像形成処理部のプラテン３５上に記録メディア３３先端を送る。
【００５０】
ステップ２４：モータドライバ４７にてキャリッジモータ４８を駆動、記録ヘッド３４をプラテン３５に保持される記録メディア３３上、記録メディア搬送方向と直行する方向に主走査させるとともに、画像処理回路４４は記録ヘッド３４に逐次主走査、副走査位置に応じたインク射出データを送出、記録ヘッド３４より主走査に応じてインクを射出、画像を形成する。
【００５１】
ステップ２５：マルチパス印字の指定されたパス数で副走査方向の印字ヘッド幅分、１主走査画像形成毎に、モータドライバ４９にてラインフィードモータ５０を駆動、ラインフィードローラ３２にて記録メディア３３を副走査する。
【００５２】
ステップ２６：主走査とラインフィードローラ３２にて記録メディア３３の副走査搬送を繰り返し、画像形成部排出口５５に設けられた画像形成部排紙センサ５７に記録メディア先端が達するとステップ２７を実行する。
【００５３】
ステップ２７：マルチパス印字設定のパス数を確認し、パス数の設定により以降のヒータの設定を行う。
【００５４】
ステップ２８：本実施形態においてはマルチパス印字のパス数が1パスのとき、パルス発生器６１の設定をデューティ１００％とし、ハロゲンヒータ３９への通電をデューティ１００％にて開始し、加熱乾燥部３７に達した画像形成直後の記録メディアを輻射により加熱する。
【００５５】
ステップ２９：本実施形態においてはマルチパス印字のパス数が２パスのとき、パルス発生器６１よりデューティ５０％のパルスをハロゲンヒータ駆動回路５３に与え、ハロゲンヒータ３９への通電をデューティ５０％にて開始し、加熱乾燥部３７に達した画像形成直後の記録メディアを５０％の出力の輻射により加熱する。
【００５６】
ステップ３０：本実施形態においてはマルチパス印字のパス数が４パスのとき、パルス発生器６１よりデューティ２５％のパルスをハロゲンヒータ駆動回路５３に与え、ハロゲンヒータ３９への通電をデューティ２５％にて開始し、加熱乾燥部３７に達した画像形成直後の記録メディアを２５％の出力の輻射により加熱する。
【００５７】
ステップ３１：そのページのインク射出データが終了後、主走査の繰り返しは終了させる。
【００５８】
ステップ３２：次ページ画像データがあれば、次ページ用記録メディアを給紙部３１より1枚給紙する。
【００５９】
ステップ３３：記録メディア後端が排紙センサ５８を通過し、排紙ローラ４２によって排紙トレーに排紙されるまで、副走査は画像形成時と同様に繰り返し継続する。
【００６０】
ステップ３４：主走査相当時間待ち、副走査を実行する。
【００６１】
ステップ３５：次ページ処理が無く、排紙が完了するとヒータ３９への通電停止する。
【００６２】
ステップ３６：サーミスタ５９により検出される加熱乾燥部３７の雰囲気温度が所定値以下になるまで待つ。
【００６３】
ステップ３７：ラインフィードローラ３２、拍車ローラ３６、排紙ローラ４２の駆動を停止する。
【００６４】
ステップ３８：排気ファン４１を停止する。
【００６５】
以上のような構成、動作により、マルチパス印字のパス数に応じてハロゲンヒータ３９の出力を制御し、加熱乾燥部３７を通過するインクジェット画像形成直後の記録メディア３３を加熱乾燥させる。
【００６６】
（第３の実施形態）
図７は本発明第３の実施形態のインクジェットプリンタの通紙方向機器断面を示す概略図である。図７において、７１は本発明実施のインクジェットプリンタの記録メディア供給のための給紙部、７２は記録ヘッド下を記録ヘッド動作に同期して記録メディアを通紙するためのラインフィードローラ、７３はラインフィードローラ７２に挟持され、給紙される記録メディアであって、後述の記録ヘッド７４よりインク液を射出され、その表面に画像形成され、その後加熱乾燥、排紙される。７４はインクジェット方式の記録ヘッドであって、記録メディア上を記録メディア搬送方向と直交する方向にスキャンしながら、インク液を記録メディア上に射出、画像形成を行う。７５は記録ヘッド７４に対向して供給された記録メディアを画像形成時、保持するプラテン、７６は記録ヘッド７４下を通過した記録メディアを搬送する拍車ローラであってほぼラインフィードローラ７２と連動して駆動される。９４はこれら記録ヘッド７４他から構成される画像形成部、９５は画像形成部９４の記録メディア排出口、７７は通過する記録メディアの乾燥を促進する乾燥部、８１は乾燥部へ送風を行うための風量が2段階に切り換え可能な送風ファン、８０は送風ダクトであって、送風ファン８１より乾燥部７７へ外気を導く。８２は画像形成部９４、乾燥部７７を通過した画像形成、乾燥後の記録メディア７３を排紙するための排紙ローラであって拍車ローラ７６と実効的に等速にて記録メディアを排紙する。９８は排紙ローラ８２に達した記録メディアを検出、あるいは通過したことを検出する排紙センサ、８３は排紙された記録メディアを保持する排紙トレーを示している。
【００６７】
図８は本発明第３の実施形態のインクジェットプリンタを示す制御回路を示すブロック図である。図８において、７２−８１、９６、９８は各々図７のそれらを示しており、８４は不図示の外部ホストマシンからの画像データに基づき、インク射出データを生成、記録ヘッド７４に与える画像処理回路、８５は処理する画像データを記憶する画像メモリ、８６はインクジェットプリンタ全体を制御するCPU、８７は後述のキャリッジモータを駆動するためのきモータドライバ、８８はモータ記録ヘッド７４を記録メディア搬送方向と直交する方向に主走査駆動するキャリッジモータ、８９は後述のラインフィードモータを駆動するためのモータドライバ、９０は記録メディア７３を記録ヘッド７４下にて搬送、副走査駆動をラインフィードローラを介して行うラインフィードモータである。この他、給紙部の駆動、記録ヘッドのインク射出状態を良好に保持するための、記録ヘッド表面の清掃、記録ヘッド外部より記録ヘッド上の射出孔に負圧を与え、インクを射出孔より吸引、あるいは記録ヘッド射出孔部へのキャッピングを行う等々、インクジェットプリンタが動作するために他の機構を駆動する他のモータ及びそれらの駆動のためのドライバが単数あるいは複数設けられている。これらについては本発明に係る動作には直接関係しない故、詳細な説明、詳細な図示は割愛する。
【００６８】
９１は送風ファン８１の駆動回路であって、排気ファン８１の風量を制御駆動する。
【００６９】
上記構成にて、図９に示すフローチャートの如く画像形成動作を行う。
ステップ４１：給紙部７１より記録メディア７３をラインフィードローラ部へ1枚搬送する。
【００７０】
ステップ４２：モータドライバ８９にてラインフィードモータ９０を駆動、ラインフィードローラ７２にて記録メディア７３を搬送、画像形成処理部のプラテン７５上に記録メディア７３先端を送る。
ステップ４３：マルチパス印字設定のパス数を確認し、パス数の設定により送風ファンの設定を行う。
【００７１】
ステップ４４：本実施形態においては2パス印字の場合、送風ファン８１を駆動回路９１を介して駆動開始する。このとき駆動回路９1の設定により風量は最大とする。これにより乾燥部７７に送風が行われる。
【００７２】
ステップ４５：本実施形態においては６パス印字の場合、強制排気ファン８１を駆動回路９１を介して駆動開始する。このとき駆動回路９1の設定により風量は最大のおおよそ１／３とする。これにより乾燥部７７に弱送風が行われる。
【００７３】
ステップ４６：モータドライバ８７にてキャリッジモータ８８を駆動、記録ヘッド７４をプラテン７５に保持される記録メディア７３上を、記録メディア搬送方向と直行する方向に主走査させるとともに、画像処理回路８４は記録ヘッド７４に逐次主走査、パス数と副走査位置に応じたインク射出データを送出、記録ヘッド７４より主走査に応じてインクを射出、画像を形成する。
【００７４】
ステップ４７：マルチパス印字の指定されたパス数で副走査方向の印字ヘッド幅分、１主走査画像形成毎に、モータドライバ８９にてラインフィードモータ９０を駆動、ラインフィードローラ７２にて記録メディア７３を副走査する。
【００７５】
ステップ４８：主走査とラインフィードローラ７２にて記録メディア７３の副走査搬送を繰り返し、そのページのインク射出データが終了後、主走査は終了させる。
【００７６】
ステップ４９：次ページ画像データがあれば、次ページ用記録メディアを給紙部７１より1枚給紙する。
【００７７】
ステップ５０：記録メディア後端が排紙ローラ８２によって排紙トレー８３に排紙されるまで、副走査は画像形成時と同様に繰り返し継続する。
【００７８】
ステップ５１：主走査相当時間待ち、副走査を実行する。
【００７９】
ステップ５２：次ページ処理が無く、排紙が完了すると送風ファン８１を停止する。
【００８０】
ステップ５３：ラインフィードローラ７２、拍車ローラ７６、排紙ローラ８２の駆動を停止する。
【００８１】
以上のような構成、動作により、加熱乾燥部７７を通過するインクジェット画像形成直後の記録メディア７３に対して、マルチパス印字のパス数に反比例した風量を送風ファン８１により与え乾燥を促進する。
【図面の簡単な説明】
【００８２】
【図１】本発明第1の実施形態のインクジェットプリンタの通紙方向機器断面を示す概略図。
【図２】本発明第1の実施形態のインクジェットプリンタを示す制御回路を示すブロック図。
【図３】本発明第１の実施形態の動作を示すフローチャート。
【図４】本発明第２の実施形態のインクジェットプリンタの通紙方向機器断面を示す概略図。
【図５】本発明第２の実施形態のインクジェットプリンタを示す制御回路を示すブロック図。
【図６】本発明第２の実施形態の動作を示すフローチャート。
【図７】本発明第３の実施形態のインクジェットプリンタの通紙方向機器断面を示す概略図。
【図８】本発明第３の実施形態のインクジェットプリンタを示す制御回路を示すブロック図。
【図９】本発明第３の実施形態の動作を示すフローチャート。
【符号の説明】
【００８３】
１  本発明第1の実施形態のインクジェットプリンタの記録メディア供給のための給紙部
２  ラインフィードローラ
３  記録メディア
４  インクジェット方式の記録ヘッド
５  プラテン
６  拍車ローラ
７  加熱乾燥部
８  吸気ファン
９  ヒータ
１０  排気ダクト
１１  排気ファン
１２  排紙ローラ
１３  排紙トレー
１４  画像処理回路
１５  画像メモリ
１６  CPU
１７  キャリッジモータドライバ
１８  キャリッジモータ
１９  ラインフィードモータドライバ
２０  ラインフィードモータ
２１  排気ファン駆動回路
２２  吸気ファン駆動回路
２３  ヒータ駆動回路
２４  画像形成部
２５  画像形成部２４の記録メディア排出口
２８  排紙センサ
３１  本発明第２の実施形態のインクジェットプリンタの記録メディア供給のための給紙部
３２  ラインフィードローラ
３３  記録メディア
３４  インクジェット方式の記録ヘッド
３５  プラテン
３６  拍車ローラ
３７  加熱乾燥部
３９  ハロゲンヒータ
４０  排気ダクト
４１  排気ファン
４２  排紙ローラ
４３  排紙トレー
４４  画像処理回路
４５  画像メモリ
４６  CPU
４７  キャリッジモータドライバ
４８  キャリッジモータ
４９  ラインフィードモータドライバ
５０  ラインフィードモータ
５１  排気ファン駆動回路
５３  ハロゲンヒータ駆動回路
５４  画像形成部
５５  画像形成部５４の記録メディア排出口
５６  給紙センサ
５７  画像形成部排紙センサ
５８  排紙センサ
５９  サーミスタ
６０  ADコンバータ
６１  パルス発生器
７１  本発明第３の実施形態のインクジェットプリンタの記録メディア供給のための給紙部
７２  ラインフィードローラ
７３  記録メディア
７４  インクジェット方式の記録ヘッド
７５  プラテン
７６  拍車ローラ
７７  乾燥部
８０  送風ダクト
８１  送風ファン
８２  排紙ローラ
８３  排紙トレー
８４  画像処理回路
８５  画像メモリ
８６  CPU
８７  ャリッジモータドライバ
８８  キャリッジモータ
８９  ラインフィードモータドライバ
９０  ラインフィードモータ
９１  送風ファン駆動回路
９４  画像形成部
９５  画像形成部９４の記録メディア排出口
９６  給紙センサ
９８  排紙センサ
【図１】
2005161814.tif 000003
【図２】
2005161814.tif 000004
【図３】
2005161814.tif 000005
【図４】
2005161814.tif 000006
【図５】
2005161814.tif 000007
【図６】
2005161814.tif 000008
【図７】
2005161814.tif 000009
【図８】
2005161814.tif 000010
【図９】
2005161814.tif 000011